(57)【特許請求の範囲】
【請求項１】
二酸化塩素水溶液を、二酸化塩素として５〜５０ｋｇ／１０ａの施用量で、その水量が土壌の最大容水量以上になるように、土壌に混和または灌注することを特徴とする二酸化塩素水溶液による土壌消毒方法。
【請求項２】
二酸化塩素水溶液を、二酸化塩素として１０〜３０ｋｇ／１０ａの施用量で土壌に混和または灌注することを特徴とする請求項１記載の二酸化塩素水溶液による土壌消毒方法。
【請求項３】
二酸化塩素発生装置で発生させた二酸化塩素を、水に溶解させて二酸化塩素水溶液を調製する、請求項１または請求項２記載の二酸化塩素水溶液による土壌消毒方法。
【請求項４】
二酸化塩素水溶液原料から、圃場または圃場周辺で二酸化塩素水溶液を調製する、請求項１または請求項２記載の二酸化塩素水溶液による土壌消毒方法。
【請求項５】
二酸化塩素水溶液原料が、亜塩素酸塩と、亜塩素酸塩に添加する次の無機酸、有機酸および次亜塩素酸塩から選択される１種である、請求項１〜請求項４いずれかの項に記載の二酸化塩素水溶液による土壌消毒方法。
【発明の詳細な説明】
【０００１】
【産業上の利用分野】
本発明は有害な土壌中の微生物から作物を保護するための土壌消毒方法に関する。
【０００２】
【従来の技術】
作物を土壌病害虫から保護するために土壌を消毒する方法として、クロルピクリン、臭化メチル、１，３−ジクロロプロペン、メチルイソチオシアナート、ダゾメット等を使用する方法がある。また、二酸化塩素ガスを用いる土壌殺菌方法（特開平１−１７１４２５号公報）、二酸化塩素発生性組成物を土壌に施用する線虫駆除法（特開平１−１２５３１０号公報）が知られている。
【０００３】
【発明が解決しようとする課題】
土壌消毒に用いられるハロゲノ炭化水素系化合物は発ガン性、催涙性のほか、地下水の汚染、オゾン層の破壊等、環境に対する影響が懸念されている。その他でも、メチルイソチオシアナート、ダゾメットは作物に対する薬害回避のため作付けが遅れること以外に、他の薬剤に比較して高価である欠点を有する。
【０００４】
一方、二酸化塩素ガスによる土壌の消毒は、一般農家で使用するためには未解決の問題点を有している。二酸化塩素ガスを利用する場合、その爆発性と毒性のためボンベ等に充填して輸送することは極めて困難である。農家の圃場で発生させて使用する場合であっても、毒性を回避するため、漏洩に十分留意した発生装置が必要である。さらにガスを土壌中に導入し逸散を防ぐためには、十分な被覆が必要となり、作業が極めて煩雑である。
【０００５】
また、亜塩素酸ナトリウム、固体酸その他を粉体混合して固形状の組成物に調製した場合、各々の接触を完全に防止することは難しいので、分解が起こり、製品の経時安定性の確保はもとより、毒性の高い二酸化塩素ガスの発生を押さえることも難しい。それを防止するために、亜塩素酸ナトリウムと固体酸その他の各成分を、施用時に農家の圃場で混合する方法も考えられるが、各成分が過不足無く反応するような量比、接触、分散を全土壌にわたって確実に行えるような土壌混合は不可能である。
【０００６】
本発明は、二酸化塩素および種々の二酸化塩素発生性組成物が有している取扱い上の問題点を解決し、一般農家でも簡便に実施のできる、二酸化塩素による土壌消毒方法を提供することを目的としている。
【０００７】
【課題を解決するための手段】
二酸化塩素は、亜塩素酸ソ−ダ、塩素酸ソ−ダを原料として安価な漂白殺菌剤として広く使用されている。塩素の２．６倍の酸化力を有し、１５ｖｏｌ％以上では爆発する危険性がある。また安全衛生上、空気中濃度は０．１ｐｐｍ以下に保つ必要がある。２０℃で水１Ｌに約１０ｇ溶解するが、安全上８ｇ／Ｌ以下での使用が望まれている（防災指針）。二酸化塩素ガスは上記のように安全上取り扱いに多くの留意点を有しているが、一方、二酸化塩素水として８ｇ／Ｌ以下で用いると取り扱いは容易となる。本発明者等はこれらの二酸化塩素の有する特徴を、農業分野での土壌消毒方法の実用化に結びつけるべく検討を行い、本発明を完成するに至った。
【０００８】
すなわち本発明は、二酸化塩素水溶液を、二酸化塩素として５〜５０ｋｇ／１０ａの施用量で、その水量が土壌の最大容水量以上になるように、土壌に混和または灌注することを特徴とする二酸化塩素水溶液による土壌消毒方法である。また、二酸化塩素発生装置で発生させた二酸化塩素を、水に溶解させて二酸化塩素水溶液を調製して、土壌に混和または灌注することを特徴とする、二酸化塩素水溶液による土壌消毒方法であり、圃場または圃場周辺で、二酸化塩素水溶液原料から二酸化塩素水溶液を調製して、土壌に混和または灌注することを特徴とする、二酸化塩素水溶液による土壌消毒方法である。
【０００９】
二酸化塩素水溶液を調製する場合、管理された二酸化塩素発生装置を保有する場所で製造し、二酸化塩素水溶液として圃場に持ち込むことが可能である。さらには、発生する二酸化塩素ガスを水に溶解させて使用するので、適切な発生方法を選べば、農家圃場で二酸化塩素水溶液として製造することも可能である。この場合、二酸化塩素の原料となる数成分を水中で混合すれば、容易に二酸化塩素水溶液を調製することができる。二酸化塩素水溶液を土壌に処理する場合、本発明の施用量の範囲であれば刺激臭は殆ど生じない。二酸化塩素水溶液散布後、耕耘によって土壌中の均一化を促すことができる。さらには灌水パイプ等を用いて、同じ二酸化塩素成分量を最大容水量以上の水に溶解させてから処理すれば、土壌の種類と土壌の含水量により幾分の変動はあるものの、二酸化塩素の濃度を大きく減ずることができ、耕耘拡散の必要もなく、安全性の確保と二酸化塩素の均一な分散とを、容易にし、しかも確実に土壌の消毒行うことができる。従って、土壌の種類の異なる地域によって限定されることも全く無い。また、予め耕耘深度を勘案しておけば深根性作物にも適用できる。
【００１０】
二酸化塩素の発生方法は、塩素酸塩を原料とするもの、亜塩素酸塩を原料とするものが一般的である。大量に二酸化塩素を必要とする場合は塩素酸塩を用いる方法が安価であり、簡便さを重視する場合は亜塩素酸塩を用いる方法が推奨される。亜塩素酸ナトリウムを原料とする代表的な二酸化塩素の発生方法は以下のとおりであり、圃場または圃場周辺で二酸化塩素水溶液原料から二酸化塩素水溶液を調製するための発生方法は、これらの中から選択すれば良い。また、二酸化塩素水溶液を調製する場合、二酸化塩素の各原料を水中に溶解させても良いし、原料中の一部または全部の成分をあらかじめ水溶液としておき、施用時に他の成分を溶解させるかまたは水溶液同士の混合としても良い。
【００１１】
［塩素置換法］
２ＮａＣｌＯ２＋Ｃｌ２→２ＣｌＯ２＋２ＮａＣｌ
［電気分解法］
２ＮａＣｌＯ２＋２Ｈ２Ｏ→２ＣｌＯ２＋２ＮａＯＨ＋Ｈ２
［酸性化法］
５ＮａＣｌＯ２＋２Ｈ２ＳＯ４→４ＣｌＯ２＋２Ｎａ２ＳＯ４＋ＮａＣｌ＋２Ｈ２Ｏ
５ＮａＣｌＯ２＋４ＣＨ３ＣＯＯＨ→４ＣｌＯ２＋４ＣＨ３ＣＯＯＮａ＋ＮａＣｌ＋２Ｈ２Ｏ
［次亜塩素酸法］
２ＮａＣｌＯ２＋ＮａＣｌＯ＋Ｈ２Ｏ→２ＣｌＯ２＋２ＮａＯＨ＋ＮａＣｌ
【００１２】
本発明の土壌殺菌方法を実施する場合、二酸化塩素水溶液を８ｇ／Ｌ以下の濃度に調製して、土壌表面に散布後、耕耘機等で十分混和する。また、水を得易い場所では、多量の水に希釈して灌注または散水して、土壌の最大容水量以上とすることによって、さらに作業を安全、簡便なものにし、得られる殺菌効果も確実でしかも対象圃場の全体にまんべんなくゆき渡らせることができる。処理する二酸化塩素の量は５〜５０ｋｇ／１０ａであり、好ましくは１０〜３０ｋｇ／１０ａである。
【００１３】
防除の対象となる代表的な土壌病害虫としては以下のものが挙げるれる。糸状菌では、フザリウム属、ピシウム属、フィトフィトラ属、ピレノケ−タ属、リゾクトニア属、バ−ティシィリウム属等である。細菌としてはシュウドモナス属、エルビニア属等である。また、線虫ではメロイドギネ属、ヘテロデラ属、プラチレンカス属等がある。
【００１４】
【実施例】
以下、実施例をもって本発明を具体的に説明する。
［実施例１］土壌消毒能の検定
トマト収穫後の洪積火山灰土壌（ＰＨ５．４・１０％懸濁液、含水率２３．０％）を３ｍｍに篩ったもの１００ｇを２００ｍｌのねじ蓋付きガラス瓶に入れ、二酸化塩素水溶液（５．０ｇ／Ｌ）をそのまま、または希釈して６ｍｌ／１００ｇ土壌になるように調製し、水添加前の土壌に対し０、１００、２００、３００ｐｐｍの二酸化塩素を添加し、十分混合した。さらに水で希釈して、６０ｍｌ／１００ｇ土壌を同様の濃度で灌注した。
対照薬剤はダゾメット微粒剤３０ｍｇを混合したものを用いた。
１週間、２５℃の定温器内で保存した後、滅菌水で 10000倍に希釈して、その０．５ｍｌをポテトデキストロ−ス寒天をひいた９ｃｍシャ−レに塗布した。２日間、２５℃で培養して現れた微生物のコロニ−数を、二酸化塩素水溶液無添加の土壌に生じたコロニ−数と比較して殺菌能を判定した。
３連の平均の結果を［表１］に示す。
【００１５】
【表１】
0003672615.tif 000002
【００１６】
［実施例２］発病抑止試験
滅菌した洪積火山灰土壌にトマトの黄化萎凋病菌の胞子（Ｆｕｓａｒｉｕｍ  ｏｘｙｓｐｏｒｕｍ  ｆ．ｓｐ．ｌｙｃｏｐｅｒｕｓｉｃｉ）を１ｇ当たり、１０4 加えて十分混合した。この土壌を５００ｇずつポットに詰め二酸化塩素水溶液（７．５ｇ／Ｌ）を１０ｍｌ（１５０ｐｐｍ）、２０ｍｌ（３００ｐｐｍ）添加して十分混合した。また、二酸化塩素水溶液（０．２５ｇ／Ｌ）をポット当たり３００ｍｌ（１５０ｐｐｍ）、６００ｍｌ（３００ｐｐｍ）を灌注した。また特開平１−１２５３１０の実施例に記載の組成物５０ｍｇ（約１０ｐｐｍ）、１００ｍｇ（約２０ｐｐｍ）を混合処理し、比較例とした。１週間温室内に放置後、トマト（品種  ポンテロ−ザ）を５粒／ポット播種した。１．５カ月後に萎凋株数を二酸化塩素水溶液無添加の区と比較して、発病抑止能を判定した。３連の平均の結果を［表２］に示す。
【００１７】
【表２】
0003672615.tif 000003
【００１８】
【発明の効果】
本発明の、二酸化塩素水溶液を土壌に混和または灌注する土壌消毒方法によれば、二酸化塩素の有する取扱い上の問題点を解決し、一般農家でも簡便に実施をすることができる。また、最大容水量以上の水に溶解させてから処理すれば、耕耘拡散の必要もなく、安全性の確保と二酸化塩素の均一な分散とを、容易にしかも確実に行うことができる。